(57)【要約】【課題】地震が発生した時、タンスの前方が浮き上がった分だけ係止具が突出し、タンスを後方傾状に形成し、前方に倒れるのを防止するもので、地震による振れの大きさに合わせて傾斜し、安全に使用できると共に、脚を設けていないため、前方（周囲）からタンス倒れ防止具が見えることなく（通常時）、美的に使用できるタンス倒れ防止具を提供する。【解決手段】基板の下面中央に係止ピンを設けてなる円筒体を突設してある基台と、基板の中央に設ける上部に雌ネジ部を、下部に抜け止め部をそれぞれ設けてなる支持体と、支持体内に設ける上部に雄ネジ部を、下部に雄ネジ軸をそれぞれ設けてなる連結体と、連結体の雄ネジ軸に取り付ける外周に係止片を設けると共に、下部に受部を設けてなる係止具と、円筒体内に設けてなる弾性体とからなることを特徴とする。【選択図】  図１
2004298583.tif 000002
【特許請求の範囲】
【請求項１】
基板の下面中央に係止ピンを設けてなる円筒体を突設してある基台と、基板の中央に設ける上部に雌ネジ部を、下部に抜け止め部をそれぞれ設けてなる支持体と、支持体内に設ける上部に雄ネジ部を、下部に雄ネジ軸をそれぞれ設けてなる連結体と、連結体の雄ネジ軸に取り付ける外周に係止片を設けると共に、下部に受部を設けてなる係止具と、円筒体内に設けてなる弾性体とからなることを特徴とするタンス倒れ防止具。
【請求項２】
雌ネジ部に雄ネジ部を螺合し、係止具を所要位置にて固定してなることを特徴とする請求項１記載のタンス倒れ防止具。
【請求項３】
係止片を螺旋状の溝に形成し、下面をテーパー状に形成すると共に、上面をフラット状に形成してなることを特徴とする請求項１又は２記載のタンス倒れ防止具。
【請求項４】
係止ピンが、バネとＬ字形の係止ピン本体とからなることを特徴とする請求項１、２又は３記載のタンス倒れ防止具。
【請求項５】
弾性体が、圧縮スプリングであることを特徴とする請求項１、２、３又は４記載のタンス倒れ防止具。
【発明の詳細な説明】
【０００１】
【発明の属する技術分野】
本発明は、主にタンスの下面前方両側に取り付け、地震が発生した時点で係止具を必要量突出させタンスを後方傾向に形成し前方に倒れるのを防止するタンス倒れ防止具に関するものである。
【０００２】
【従来の技術】
従来の技術として、床面と家具の底面部との間に設置し、支持脚部材により家具を床面から所定の支持高さ（Ｈ）で水平状態に支持する家具支持装置において、少なくとも家具の底面部の前面側を除く部位には、床面が地震等により振動した際に支持高さを前記（Ｈ）以下に短縮動作する脚短縮機構を設置し、家具を前面側以外の方向に傾動させることを特徴とする家具支持装置がある。（特許文献１参照）
【０００３】
【特許文献１】
特開平９−２９９１７１号公報（請求項１、図３、図４）
【０００４】
【発明が解決しようとする課題】
上記従来の技術は、家具（１４）が脚（１８）と、脚短縮機構（１）とからなる支持脚部材により構成された家具支持装置であり、家具（１４）の底面部（１４ｂ）に脚（１８）を取り付けなければ要をなさないため、取り付け等が面倒であり、前面から脚（１８）が見え、美的でない。
また、タンス等は下部に枠部を設けてなるもので、上記従来の形態では使用できないという不合理がある。
さらに、壁（１５）側への傾きが一定であり、かつ脚（１８）が後方に移動しない限り作動せず、地震の振れ具合によっては引き出しが先に出てしまう危険性がある。
【０００５】
本発明は、上記の問題点に鑑みなされたもので、地震が発生した時、タンスの前方が浮き上がった分だけ係止具が突出し、タンスを後方傾状に形成し、前方に倒れるのを防止するもので、地震による振れの大きさに合わせて傾斜し、安全に使用できると共に、脚（１８）を設けていないため、前方（周囲）からタンス倒れ防止具が見えることなく（通常時）、美的に使用できるタンス倒れ防止具を提供することを目的とする。
【０００６】
【課題を解決するための手段】
上記課題を解決するための手段として、基板の下面中央に係止ピンを設けてなる円筒体を突設してある基台と、基板の中央に設ける上部に雌ネジ部を、下部に抜け止め部をそれぞれ設けてなる支持体と、支持体内に設ける上部に雄ネジ部を、下部に雄ネジ軸をそれぞれ設けてなる連結体と、連結体の雄ネジ軸に取り付ける外周に係止片を設けると共に、下部に受部を設けてなる係止具と、円筒体内に設けてなる弾性体とからなること。また、雌ネジ部に雄ネジ部を螺合し、係止具を所要位置にて固定してなること。さらに、係止片を螺旋状の溝に形成し、下面をテーパー状に形成すると共に、上面をフラット状に形成してなること。さらにまた、係止ピンが、バネとＬ字形の係止ピン本体とからなること。その上、弾性体が、圧縮スプリングであることを特徴とする。
【０００７】
【発明の実施の形態】
１は、タンス倒れ防止具である。
２は、方形状の基板２ａの下面中央に、相対向する係止ピン２ｂを下部に設けてなる円筒体２ｃを突設してなる基台である。
なお、係止ピン２ｂはコイルバネ２ｂ１とＬ字形の係止ピン本体２ｂ２より構成され、常に内側に係止ピン本体２ｂ２をコイルバネ２ｂ１にて押圧している。
３は、上記基板２ａの中央に設ける上部に雌ネジ部３ａを、下部にリング状の抜け止め部３ｂをそれぞれ設けてなる段付円筒状の支持体である。
４は、上記支持体３内に設ける上部に雄ネジ部４ａを、下部に雄ネジ軸４ｂをそれぞれ設けてなる連結体で、雄ネジ部４ａ内に六角レンチ穴４ａ１を形設し、六角レンチ（図示せず）を使用し、雄ネジ部４ａを上記雌ネジ部３ａに螺合させたり外したりしてなるものである。
５は、上記連結体４の雄ネジ軸４ｂに取り付けるべく雌ネジ穴５ａ１を設け外周に螺旋状の溝５ａを形成し、下面をテーパー状ＴＰに形成し、上面をフラット状Ｆに形成すると共に、下部に底面円弧状の受部５ｂを設けてなる係止具で、一旦突出した係止具５は係止ピン２ｂにて係止固定されるものである。
なお、受部５ｂから雌ネジ穴５ａ１に貫通する孔５ａ２を設け、孔５ａ２からカシメ具（図示せず）を挿入し雄ネジ軸４ｂの先端をカシメ、係止具５と固定する。
６は、円筒体２ｃ内の上部に設けた圧縮スプリングによる弾性体である。
【０００８】
上記タンス倒れ防止具１の使用例について説明する。
タンスＴに使用する場合、底板Ｔａの前方両側にビスＢにて取り付けるもので枠部Ｔｂ内に設けることにより外周から見えることもなく、美的に使用できる。
つまり、出荷時において支持体３の雌ネジ部３ａに連結体４の雄ネジ部４ａを螺合させた状態で取り付ける。（図１の状態）
この時、圧縮スプリングによる弾性体６は圧縮された状態で、係止具５は円筒体２ｃ内に収納されている。
【０００９】
つぎに、設置時において、床面ＵにタンスＴを設置した後、六角レンチＬを六角レンチ穴４ａ１に入れ、回転（右回転）させることにより、雄ネジ部４ａが雌ネジ部３ａから外れ、圧縮スプリングによる弾性体６が伸び係止具５を押し出し、受部５ｂが床面Ｕに当接する。（図５の二点鎖線参照）
この時、溝５ａのテーパー状ＴＰにより係止ピン本体２ｂが外側に押しやられ自動的に係止具５は突出する。
この状態で、セッティングが完了する。
【００１０】
地震が発生した時、タンスＴは前後に振れるが、後方に振れた時点で圧縮スプリングによる弾性体６が伸び係止具５が押し出される。
再度、前方にタンスＴが振れても係止ピン２ｂの係止ピン本体２ｂ２が係止具５の溝５ａのフラット状Ｆに食い込み（コイルバネ２ｂ１のバネ力にて）戻ることなく支持できる。
つまり、前後の振れ具合によって係止具５が突出し、決して戻ることなく支持でき、タンスＴの倒れを防止できるものである。
【００１１】
なお、地震がおさまりタンスＴを通常の位置に戻す時は、タンスＴの扉Ｔｃを開け、六角レンチＬ１を上方より挿入し、六角レンチ穴４ａ１に入れ、回転（左回転）することにより係止具５の溝５ａが係止ピン２ｂの係止ピン本体２ｂ２に沿って上方に上がっていき、枠部Ｔｂが床面Ｕに着地した時点で止める。
この状態で、再度使用できるものである。
【００１２】
上記実施例において、各部位の形状は、同様な機能を有するものであれば、他の形状も考えられる。
なお、タンス倒れ防止具１は、床面が前方にやや傾斜している場合は、前方を持ち上げ係止具５をやや突出させることによりタンスＴを水平状態に保持することができ、水平調整具としても使用できるものである。
【００１３】
【発明の効果】
１）、地震が発生した時、タンスの前方が浮き上がった分だけ係止具が突出し、タンスを後方傾状に形成し、前方に倒れるのを防止することができる。
２）、一度突出した係止具は、治具を使用しない限り戻ることはなく、地震時には戻ることなく確実に支持できる。
３）、地震の振れの大きさに合わせて係止具が突出するため、安全に使用できる。
４）、枠部内に取り付けられるため、外側から見えることもなく、美的に使用できる。
【図面の簡単な説明】
【図１】本発明の一実施例を示すタンス倒れ防止具の一部縦断正面図。
【図２】本発明の一実施例を示すタンス倒れ防止具の平面図。
【図３】本発明の一実施例を示すタンス倒れ防止具の係止ピンの側面図。
【図４】本発明の一実施例を示すタンス倒れ防止具の使用状態の正面図。
【図５】本発明の一実施例を示すタンス倒れ防止具の使用状態の取付状態図。
【図６】本発明の一実施例を示すタンス倒れ防止具の使用地震時の側面図。
【図７】本発明の一実施例を示すタンス倒れ防止具の使用地震停止時の側面図。
【図８】本発明の一実施例を示すタンス倒れ防止具の地震時の作動状態図。
【符号の説明】
１−−−タンス倒れ防止具
２−−−基台
３−−−支持体
４−−−連結体
５−−−係止具
６−−−弾性体
Ｔ−−−タンス
【図１】
2004298583.tif 000003
【図２】
2004298583.tif 000004
【図３】
2004298583.tif 000005
【図４】
2004298583.tif 000006
【図５】
2004298583.tif 000007
【図６】
2004298583.tif 000008
【図７】
2004298583.tif 000009
【図８】
2004298583.tif 000010